(57)【要約】  本発明によるターゲットアクセスサービスネットワークゲートウェイ(ＡＳＮ_ＧＷ)は、ＳＲ ＭＳの動作モードをアイドルモードからアクティブモードに変更することを検出すると、事前登録動作を遂行したＳＲ ＭＳを事前登録したＡＳＮ_ＧＷからＳＲ ＭＳのホームエージェント(ＨＡ)のアドレスを獲得し、基地局が事前登録したＡＳＮ_ＧＷと経路を設定することを検出すると、事前登録したＡＳＮ_ＧＷにＨＡのアドレスを含み、ターゲットＡＳＮ_ＧＷをＳＲ ＭＳの新規フォーリンエージェント(ＦＡ)として登録することを要求するメッセージを送信し、事前登録したＡＳＮ_ＧＷからターゲットＡＳＮ_ＧＷをＳＲ ＭＳの新規ＦＡとして登録することを要求するメッセージを受信すると、ＨＡとデータ経路を設定し、以後にターゲットＡＳＮ_ＧＷをＳＲ ＭＳの新規ＦＡとして登録する。
2013511939.tif 000002
【特許請求の範囲】
【請求項１】
異種環境間の無線通信システムにおけるターゲットアクセスサービスネットワークゲートウェイ(ＡＳＮ_ＧＷ)によってシングルラジオ移動端末(ＳＲ ＭＳ)のアイドルモードハンドオーバーをサポートする方法であって、
前記ＳＲ ＭＳの動作モードをアイドルモードからアクティブモードに変更することを検出すると、事前登録動作を遂行した前記ＳＲ ＭＳを事前登録したＡＳＮ_ＧＷから前記ＳＲ ＭＳのホームエージェント(ＨＡ)のアドレスを獲得するステップと、
基地局が前記事前登録したＡＳＮ_ＧＷと経路を設定することを検出すると、前記事前登録したＡＳＮ_ＧＷに前記ＨＡのアドレスを含み、前記ターゲットＡＳＮ_ＧＷを前記ＳＲ ＭＳの新規フォーリンエージェント(ＦＡ)として登録することを要求するメッセージを、送信するステップと、
前記ターゲットＡＳＮ_ＧＷを前記ＳＲ ＭＳの新規ＦＡとして登録することを要求するメッセージを前記事前登録したＡＳＮ_ＧＷから受信すると、前記ＨＡとデータ経路を設定し、以後に前記ターゲットＡＳＮ_ＧＷを前記ＳＲ ＭＳの新規ＦＡとして登録するステップと、
を有することを特徴とする方法。
【請求項２】
前記事前登録したＡＳＮ_ＧＷから前記ＳＲ ＭＳのＨＡアドレスを獲得するステップは、
前記ＳＲ ＭＳの動作モードをアイドルモードからアクティブモードに変更することを要求するメッセージを前記事前登録したＡＳＮ_ＧＷに送信するステップと、
前記ＳＲ ＭＳの動作モードをアイドルモードからアクティブモードに変更することを受諾することを示し、前記ＳＲ ＭＳのＨＡアドレスを含むメッセージを、前記事前登録したＡＳＮ_ＧＷから受信するステップと、
を有することを特徴とする請求項１に記載の方法。
【請求項３】
前記事前登録したＡＳＮ_ＧＷから受信した前記ターゲットＡＳＮ_ＧＷを前記ＳＲ ＭＳの新規ＦＡとして登録することを要求するメッセージは、前記ターゲットＡＳＮ_ＧＷが前記事前登録したＡＳＮ_ＧＷに前記ターゲットＡＳＮ_ＧＷを前記ＳＲ ＭＳの新規ＦＡとして登録する場合に使用される登録要求メッセージを含むことを特徴とする請求項１に記載の方法。
【請求項４】
前記ターゲットＡＳＮ_ＧＷを前記ＳＲ ＭＳの新規ＦＡとして登録するステップは、応答メッセージに登録応答メッセージを含み、前記事前登録したＡＳＮ_ＧＷから受信した前記ターゲットＡＳＮ_ＧＷを前記ＳＲ ＭＳの新規ＦＡとして登録することを要求するメッセージに対応して事前登録したＡＳＮ_ＧＷに含まれている前記登録応答メッセージに前記応答メッセージを送信するステップを有することを特徴とする請求項３に記載の方法。
【請求項５】
前記ターゲットＡＳＮ_ＧＷを前記ＳＲ ＭＳの新規ＦＡとして登録した後、前記基地局からＣＭＡＣ(Cipher-based Message Authentication Code)_ＫＥＹ_ＣＯＵＮＴをアップデートすることを示すメッセージを受信すると、前記事前登録したＡＳＮ_ＧＷに前記ＣＭＡＣ_ＫＥＹ_ＣＯＵＮＴをアップデートすることを要求するメッセージを送信するステップと、
前記事前登録したＡＳＮ_ＧＷから前記ＣＭＡＣ_ＫＥＹ_ＣＯＵＮＴがアップデートされたことをを示すメッセージを受信すると、前記基地局に前記ＣＭＡＣ_ＫＥＹ_ＣＯＵＮＴがアップデートされたことを示すメッセージを送信するステップと、
をさらに有することを特徴とする請求項１に記載の方法。
【請求項６】
異種環境間の無線通信システムにおいて、事前登録したアクセスサービスネットワークゲートウェイ(ＡＳＮ_ＧＷ)がシングルラジオ移動端末(ＳＲ ＭＳ)のアイドルモードハンドオーバーをサポートする方法であって、
前記ＳＲ ＭＳの動作モードをアイドルモードからアクティブモードに変更することを検出すると、前記ＳＲ ＭＳの動作モードをアイドルモードからアクティブモードに変更することを受諾し、前記ＳＲ ＭＳのホームエージェント(ＨＡ)アドレスを含むメッセージを、前記ＳＲ ＭＳがハンドオーバーされるターゲットＡＳＮ_ＧＷに、送信するステップと、
前記ターゲットＡＳＮ_ＧＷを前記ＳＲ ＭＳの新規フォーリンエージェント(ＦＡ)として登録することを要求するメッセージを前記ターゲットＡＳＮ_ＧＷから受信すると、前記ターゲットＡＳＮ_ＧＷを前記ＳＲ ＭＳの新規ＦＡとして前記ターゲットＡＳＮ_ＧＷに登録することを要求するメッセージを送信するステップと、
前記ターゲットＡＳＮ_ＧＷから前記ターゲットＡＳＮ_ＧＷを前記ＳＲ ＭＳの新規ＦＡとして登録することを示すメッセージを受信するステップと、
を有することを特徴とする方法。
【請求項７】
前記ターゲットＡＳＮ_ＧＷを前記ＳＲ ＭＳの新規ＦＡとして登録することを要求するメッセージは、前記ターゲットＡＳＮ_ＧＷが前記事前登録したＡＳＮ_ＧＷに前記ターゲットＡＳＮ_ＧＷを前記ＳＲ ＭＳの新規ＦＡとして登録する場合に使用される登録要求メッセージを含むことを特徴とする請求項６に記載の方法。
【請求項８】
前記ターゲットＡＳＮ_ＧＷが前記ＳＲ ＭＳの新規ＦＡとして登録されることを示すメッセージは、前記登録要求メッセージに対応する登録応答メッセージを含むことを特徴とする請求項７に記載の方法。
【請求項９】
前記ターゲットＡＳＮ_ＧＷからＣＭＡＣ(Cipher-based Message AuthenticationCode)_ＫＥＹ_ＣＯＵＮＴをアップデートすることを要求するメッセージを受信するステップと、
前記ＣＭＡＣ_ＫＥＹ_ＣＯＵＮＴをアップデートした後、前記ＣＭＡＣ_ＫＥＹ_ＣＯＵＮＴをアップデートしたことを示すメッセージを前記ターゲットＡＳＮ_ＧＷに送信するステップと、
をさらに有することを特徴とする請求項６に記載の方法。
【請求項１０】
異種環境間の無線通信システムにおける基地局によってシングルラジオ移動端末(ＳＲ ＭＳ)のアイドルモードハンドオーバーをサポートする方法であって、
前記ＳＲ ＭＳの動作モードがアイドルモードからアクティブモードに変更されることを検出すると、前記ＳＲ ＭＳの動作モードが前記アイドルモードからアクティブモードに変更されるようにターゲットアクセスサービスネットワークゲートウェイ(ＡＳＮ_ＧＷ)を要求するステップと、
前記ターゲットＡＳＮ_ＧＷから前記ＳＲ ＭＳのホームエージェント(ＨＡ)のアドレスを獲得するステップと、
事前登録したＡＳＮ_ＧＷと経路を設定するステップと、
前記事前登録したＡＳＮ_ＧＷと経路を設定した後、前記ＳＲ ＭＳがアイドルモードからアクティブモードに遷移することを受諾し、その後に前記ターゲットＡＳＮ_ＧＷとＣＭＡＣ(Cipher-based Message Authentication Code)_ＫＥＹ_ＣＯＵＮＴをアップデートするプロセスを遂行するステップと、
を有することを特徴とする方法。
【請求項１１】
前記事前登録したＡＳＮ_ＧＷと経路を設定するステップは、
前記ターゲットＡＳＮ_ＧＷに前記事前登録したＡＳＮ_ＧＷと経路を設定するための登録要求メッセージを送信するステップと、
前記ターゲットＡＳＮ_ＧＷから前記登録要求メッセージに対応して応答メッセージを受信するステップと、
を有することを特徴とする請求項１０に記載の方法。
【請求項１２】
前記ターゲットＡＳＮ_ＧＷとＣＭＡＣ_ＫＥＹ_ＣＯＵＮＴをアップデートするステップは、
前記ターゲットＡＳＮ_ＧＷに前記ＣＭＡＣ_ＫＥＹ_ＣＯＵＮＴをアップデートすることを示すメッセージを送信するステップと、
前記ターゲットＡＳＮ_ＧＷから前記ＣＭＡＣ_ＫＥＹ_ＣＯＵＮＴがアップデートされたことを示すメッセージを受信するステップと、
を有することを特徴とする請求項１０に記載の方法。
【請求項１３】
異種環境間の無線通信システムにおけるターゲットアクセスサービスネットワークゲートウェイ(ＡＳＮ_ＧＷ)によってシングルラジオ移動端末(ＳＲ ＭＳ)のアイドルモードハンドオーバーをサポートする方法であって、
前記ＳＲ ＭＳの動作モードをアイドルモードからアクティブモードに変更することを示すアイドルモード終了状態変更要求(ＩＭ_Ｅｘｉｔ_Ｓｔａｔｅ_Ｃｈａｎｇｅ_Ｒｅｑ)メッセージを基地局(ＢＳ)から受信すると、事前登録動作を遂行する前記ＳＲ ＭＳを事前登録したＡＳＮ_ＧＷに前記受信したＩＭ_Ｅｘｉｔ_Ｓｔａｔｅ_Ｃｈａｎｇｅ_Ｒｅｑメッセージを送信するステップと、
前記ＳＲ ＭＳのホームエージェント(ＨＡ)のアドレスを含むアイドルモード終了状態変更応答(ＩＭ_Ｅｘｉｔ_Ｓｔａｔｅ_Ｃｈａｎｇｅ_Ｒｓｐ)メッセージを前記事前登録したＡＳＮ_ＧＷから受信するステップと、
前記受信したＩＭ_Ｅｘｉｔ_Ｓｔａｔｅ_Ｃｈａｎｇｅ_Ｒｓｐメッセージを前記基地局に送信し、前記事前登録したＡＳＮ_ＧＷと経路を設定することを示す経路登録要求(Ｐａｔｈ_Ｒｅｇ_Ｒｅｑ)メッセージを前記基地局から受信するステップと、
前記ＨＡのアドレスを含み、前記ターゲットＡＳＮ_ＧＷを前記ＳＲ ＭＳの新規フォーリンエージェント(ＦＡ)として登録することを要求するアンカーデータ経路関数再配置要求(Ａｎｃｈｏｒ_ＤＰＦ_Ｒｅｌｏｃａｔｅ_Ｒｅｑ)メッセージを前記事前登録したＡＳＮ_ＧＷに送信するステップと、
前記ターゲットＡＳＮ_ＧＷを前記ＳＲ ＭＳの新規ＦＡに登録することを要求するＦＡ登録要求(ＦＡ_Ｒｅｇｉｓｔｅｒ_Ｒｅｑ)メッセージを前記事前登録したＡＳＮ_ＧＷから受信するステップと、
前記ターゲットＡＳＮ_ＧＷを前記ＳＲ ＭＳの新規ＦＡとして登録した後、データ経路を設定するために前記ＨＡに登録要求(ＲＲＱ)メッセージを送信するステップと、
前記ＲＲＱメッセージに応答して登録応答(ＲＲＰ)メッセージを前記ＨＡから受信すると、前記事前登録したＡＳＮ_ＧＷと経路を設定した後、前記事前登録したＡＳＮ_ＧＷに前記ターゲットＡＳＮ_ＧＷを前記ＳＲ ＭＳの新規ＦＡとして登録するために前記事前登録したＡＳＮ_ＧＷにＦＡ登録応答(ＦＡ_Ｒｅｇｉｓｔｅｒ_Ｒｓｐ)メッセージを前記事前登録したＡＳＮ_ＧＷに送信するステップと、
前記Ｐａｔｈ_Ｒｅｇ_Ｒｅｑメッセージに対応して経路登録応答(Ｐａｔｈ_Ｒｅｇ_Ｒｓｐ)メッセージを前記基地局に送信するステップと、
を有することを特徴とする方法。
【請求項１４】
ＣＭＡＣ(Cipher-based Message Authentication Code)_ＫＥＹ_ＣＯＵＮＴをアップデートすることを示すＣＭＡＣ_ＫＥＹ_ＣＯＵＮＴアップデート(ＣＭＡＣ_Ｋｅｙ_Ｃｏｕｎｔ_Ｕｐｄａｔｅ)メッセージを前記基地局から受信するステップと、
前記受信したＣＭＡＣ_Ｋｅｙ_Ｃｏｕｎｔ_Ｕｐｄａｔｅメッセージを前記事前登録したＡＳＮ_ＧＷに送信するステップと、
前記ＣＭＡＣ_ＫＥＹ_ＣＯＵＮＴがアップデートされたことを示すＣＭＡＣ_Ｋｅｙ_Ｃｏｕｎｔ正常受信(ＣＭＡＣ_Ｋｅｙ_Ｃｏｕｎｔ_Ａｃｋ)メッセージを前記事前登録したＡＳＮ_ＧＷから受信すると、前記基地局に前記受信したＣＭＡＣ_Ｋｅｙ_Ｃｏｕｎｔ_Ａｃｋメッセージを送信するステップと、
前記基地局からＰａｔｈ_Ｒｅｇ_Ｒｓｐメッセージに対応してＢＳから経路登録確認(Ｐａｔｈ_Ｒｅｇ_Ａｃｋ)メッセージを受信するステップと、
をさらに有することを特徴とする請求項１３に記載の方法。
【請求項１５】
異種環境間の無線通信システムにおける事前登録したアクセスサービスネットワークゲートウェイ(ＡＳＮ_ＧＷ)によってシングルラジオ移動端末(ＳＲ ＭＳ)のアイドルモードハンドオーバーをサポートする方法であって、
前記ＳＲ ＭＳの動作モードをアイドルモードからアクティブモードに変更することを示すアイドルモード終了状態変更要求(ＩＭ_Ｅｘｉｔ_Ｓｔａｔｅ_Ｃｈａｎｇｅ_Ｒｅｑ)メッセージをターゲットＡＳＮ_ＧＷから受信すると、前記ＳＲ ＭＳの動作モードがアイドルモードからアクティブモードに変更することを受諾し、前記ＳＲ ＭＳのホームエージェント(ＨＡ)アドレスを含むアイドルモード終了状態変更応答(ＩＭ_Ｅｘｉｔ_Ｓｔａｔｅ_Ｃｈａｎｇｅ_Ｒｓｐ)メッセージを前記ターゲットＡＳＮ_ＧＷから送信するステップと、
前記ＳＲ ＭＳの前記ＨＡのアドレスを含み、前記ターゲットＡＳＮ_ＧＷを前記ＳＲ ＭＳの新規フォーリンエージェント(ＦＡ)として登録することを要求するアンカーデータ経路関数再配置要求(Ａｎｃｈｏｒ_ＤＰＦ_Ｒｅｌｏｃａｔｅ_Ｒｅｑ)メッセージをターゲットＡＳＮ_ＧＷから受信すると、前記ターゲットＡＳＮ_ＧＷを前記ＳＲ ＭＳの新規ＦＡとして登録することを要求するＦＡ登録要求(ＦＡ_Ｒｅｇｉｓｔｅｒ_Ｒｅｑ)メッセージを前記ターゲットＡＳＮ_ＧＷに送信するステップと、
前記事前登録したＡＳＮ_ＧＷに前記ターゲットＡＳＮ_ＧＷを前記ＳＲ ＭＳの新規ＦＡとして登録させるためのＦＡ登録応答(ＦＡ_Ｒｅｇｉｓｔｅｒ_Ｒｓｐ)メッセージを前記ターゲットＡＳＮ_ＧＷから受信するステップと、
を有することを特徴とする方法。
【請求項１６】
ＣＭＡＣ(Cipher-based Message Authentication Code)_ＫＥＹ_ＣＯＵＮＴをアップデートすることを示すＣＭＡＣ_ＫＥＹ_ＣＯＵＮＴアップデート(ＣＭＡＣ_Ｋｅｙ_Ｃｏｕｎｔ_Ｕｐｄａｔｅ)メッセージを前記ターゲットＡＳＮ_ＧＷから受信するステップと、
前記ＣＭＡＣ_ＫＥＹ_ＣＯＵＮＴをアップデートした後、前記ＣＭＡＣ_ＫＥＹ_ＣＯＵＮＴをアップデートしたことを示すＣＭＡＣ_Ｋｅｙ_Ｃｏｕｎｔ_Ａｃｋメッセージを前記ターゲットＡＳＮ_ＧＷに送信するステップと、
をさらに有することを特徴とする請求項１５に記載の方法。
【請求項１７】
異種環境間の無線通信システムにおける基地局がシングルラジオ移動端末(ＳＲ ＭＳ)のアイドルモードハンドオーバーをサポートする方法であって、
前記ＳＲ ＭＳの動作モードをアイドルモードからアクティブモードに変更することを示すアイドルモード終了状態変更要求(ＩＭ_Ｅｘｉｔ_Ｓｔａｔｅ_Ｃｈａｎｇｅ_Ｒｅｑ)メッセージをターゲットアクセスサービスネットワークゲートウェイ(ＡＳＮ_ＧＷ)に送信するステップと、
前記ＳＲ ＭＳのホームエージェント(ＨＡ)アドレスを含むアイドルモード終了状態変更応答(ＩＭ_Ｅｘｉｔ_Ｓｔａｔｅ_Ｃｈａｎｇｅ_Ｒｓｐ)メッセージを前記ターゲットＡＳＮ_ＧＷから受信するステップと、
事前登録動作を遂行した前記ＳＲ ＭＳを事前登録したＡＳＮ_ＧＷと経路が設定することを示す経路登録要求(Ｐａｔｈ_Ｒｅｇ_Ｒｅｑ)メッセージを前記ターゲットＡＳＮ_ＧＷに送信するステップと、
前記Ｐａｔｈ_Ｒｅｇ_Ｒｅｑメッセージに対する応答メッセージである経路登録応答(Ｐａｔｈ_Ｒｅｇ＿Ｒｓｐ)メッセージを前記ターゲットＡＳＮ_ＧＷから受信するステップと、
を有することを特徴とする方法。
【請求項１８】
ＣＭＡＣ(Cipher-based Message Authentication Code)_ＫＥＹ_ＣＯＵＮＴをアップデートすることを示すＣＭＡＣ_ＫＥＹ_ＣＯＵＮＴアップデート(ＣＭＡＣ_Ｋｅｙ_Ｃｏｕｎｔ_Ｕｐｄａｔｅ)メッセージを前記ターゲットＡＳＮ_ＧＷに送信するステップと、
前記ＣＭＡＣ_ＫＥＹ_ＣＯＵＮＴがアップデートされたことを示すＣＭＡＣ_Ｋｅｙ_Ｃｏｕｎｔ正常受信(ＣＭＡＣ_Ｋｅｙ_Ｃｏｕｎｔ_Ａｃｋ)メッセージを前記ターゲットＡＳＮ_ＧＷから受信するステップと、
前記Ｐａｔｈ_Ｒｅｇ_Ｒｅｑメッセージに対する応答メッセージであるＰａｔｈ_Ｒｅｑ_Ａｃｋメッセージを前記ターゲットＡＳＮ_ＧＷに送信するステップと、
をさらに有することを特徴とする請求項１７に記載の方法。
【請求項１９】
ターゲットアクセスサービスネットワークゲートウェイ(ＡＳＮ_ＧＷ)は、請求項１乃至５及び１３乃至１４のいずれか１項に記載の方法を遂行するように適用されることを特徴とするゲートウェイ。
【請求項２０】
事前登録したアクセスサービスネットワークゲートウェイ(ＡＳＮ_ＧＷ)は、請求項６乃至９及び１５乃至１６のいずれか１項に記載の方法を遂行するように適用されることを特徴とするゲートウェイ。
【請求項２１】
基地局(ＢＳ)は、請求項１０乃至１２及び１７乃至１８のいずれか１項に記載の方法を遂行するように適用されることを特徴とする基地局。
【発明の詳細な説明】
【技術分野】
【０００１】
本発明はアイドルモードハンドオーバーをサポートする装置及び方法に関するもので、特に異種環境間の(heterogeneous)無線通信システムにおけるアイドルモードハンドオーバーをサポートする装置及び方法に関する。
【背景技術】
【０００２】
次世代無線通信システムは、移動端末(Movile Station：以下、‘ＭＳ’と称する)に多様な高速・大容量サービスを提供するシステムに発展している。次世代無線通信システムの代表的な例として、ＷｉＭＡＸ(Worldwide  Interoperability  for  Microwave  Access)無線通信システムとＬＴＥ(Long  Term  Evolution)無線通信システムなどがある。これらの中で、ＷｉＭＡＸ通信システムは、ＩＥＥＥ(Institute  of  Electrical  and  Electronics  Engineers)８０２.１６無線通信システムに基づいたシステムである。
【０００３】
この技術分野において一般的に知られているように、ＭＳは、２個のラジオ(radio)インタフェースユニットを備えて相互に異なる２個の無線通信システムに接続できる。ここで、２個のラジオインタフェースユニットが同時にデータを送信できるか否かによって、ＭＳは、デュアル(dual)ラジオＭＳ又はシングルラジオ(Single Radio：ＳＲ)ＭＳであり得る。２個のラジオインタフェースユニットが特定時点で同時にデータを送信する場合、ＭＳは、デュアルラジオＭＳとして定義される。これに対して、特定時点で２個のラジオインタフェースユニットのうち一つのみがデータを送信する場合、ＭＳは、ＳＲ ＭＳとして定義される。しかしながら、デュアルラジオＭＳ及びＳＲ ＭＳ両方ともに、２個のラジオインタフェースユニットは同時にデータを受信する可能性がある。
【０００４】
非ＷｉＭＡＸ(non-WiMAX)無線通信システムにアクセスしたＳＲ ＭＳがＷｉＭＡＸ無線通信システムから信号を検出する場合、ＳＲ ＭＳは、ＷｉＭＡＸ無線通信システムにハンドオーバーを遂行するためにＷｉＭＡＸ信号フォワード関数(Signal  Forwarding  Function：以下、‘ＳＦＦ’と称する)ユニットをスキャンする。ここで、非ＷｉＭＡＸ無線通信システムは、ＷｉＭＡＸ無線通信システムでない無線通信システムを意味する。ＳＲ ＭＳがＷｉＭＡＸ  ＳＦＦユニットを検索する場合、ＷｉＭＡＸ  ＳＦＦユニットを通じてＷｉＭＡＸ無線通信システムと事前登録(preregistration)動作を遂行する。このように事前登録動作を遂行すると、ＳＲ ＭＳは、直ちにＷｉＭＡＸ無線通信システムにハンドオーバーされ、あるいはアイドルモードに遷移され、その後にアクティブモードに遷移してＷｉＭＡＸ無線通信システムにハンドオーバーすることができる。ここで、前者(すなわち、ＳＲ ＭＳが事前登録動作後に直ちにハンドオーバーされる場合)がアクティブモードハンドオーバーであり、後者(すなわち、ＳＲ ＭＳが事前登録動作後にハンドオーバーされる場合)がアイドルモードハンドオーバーである。
【０００５】
現在ＷｉＭＡＸ無線通信システムに提案されているアイドルモードハンドオーバーによると、アイドルモードのＳＲ ＭＳが事前登録した(preregistered)アクセスサービスネットワークゲートウェイ(ＡＳＮ_ＧＷ)から移動し、他のＡＳＮ_ＧＷ、すなわちターゲットＡＳＮ_ＧＷに接続される基地局(ＢＳ)にハンドオーバーを遂行する場合、ターゲットＡＳＮ_ＧＷは、ホームエージェント(ＨＡ)のアドレスがわからない。ここで、事前登録したＡＳＮ_ＧＷは、ＳＲ ＭＳが事前登録動作を遂行するＡＳＮ_ＧＷを示す。
【０００６】
上記したように、ターゲットＡＳＮ_ＧＷはＨＡのアドレスをわからないため、ターゲットＡＳＮ_ＧＷは、ＨＡに移動インターネットプロトコル(ＭＩＰ)登録要求(ＲＲＱ)メッセージ(以下、‘ＭＩＰ  ＲＲＱメッセージ’と称する)を送信できない。
【０００７】
また、ＳＲ ＭＳのフォーリンエージェント(Foreign  Agent：ＦＡ)を事前登録したＡＳＮ_ＧＷからターゲットＡＳＮ-ＧＷに変更するために、ターゲットＡＳＮ_ＧＷは、プロキシＭＩＰ(ＰＭＩＰ)クライアントと認証動作を遂行しなければならない。しかしながら、現在ＷｉＭＡＸ無線通信システムではＰＭＩＰ認証動作に関連したいかなる手順も提案されていない。
【０００８】
このように、ターゲットＡＳＮ_ＧＷがＨＡにＭＩＰ  ＲＲＱメッセージを送信することも、ＰＭＩＰクライアントと認証動作を遂行することもできないため、非ＷｉＭＡＸ無線通信システムにアクセスされるＳＲ ＭＳがＷｉＭＡＸ無線通信システムにアイドルモードハンドオーバーすることは不可能である。
【発明の概要】
【発明が解決しようとする課題】
【０００９】
したがって、本発明は上記した従来技術の問題点に鑑みてなされたものであって、その目的は、異種環境間の無線通信システムにおけるアイドルモードハンドオーバーをサポートする装置及び方法を提供することにある。
【００１０】
本発明の他の目的は、ＳＲ ＭＳが非ＷｉＭＡＸ無線通信システムにおけるＷｉＭＡＸ無線通信システムにアイドルモードハンドオーバーを遂行するようにサポートする装置及び方法を提供することにある。
【課題を解決するための手段】
【００１１】
上記のような目的を達成するために、本発明の一態様によれば、異種環境間の無線通信システムにおけるターゲットアクセスサービスネットワークゲートウェイ(ＡＳＮ_ＧＷ)によってシングルラジオ移動端末(ＳＲ ＭＳ)のアイドルモードハンドオーバーをサポートする方法が提供される。その方法は、ＳＲ ＭＳの動作モードをアイドルモードからアクティブモードに変更することを検出すると、事前登録動作を遂行したＳＲ ＭＳを事前登録したＡＳＮ_ＧＷからＳＲ ＭＳのホームエージェント(ＨＡ)のアドレスを獲得するステップと、基地局が事前登録したＡＳＮ_ＧＷと経路を設定することを検出すると、事前登録したＡＳＮ_ＧＷにＨＡのアドレスを含み、ターゲットＡＳＮ_ＧＷをＳＲ ＭＳの新規フォーリンエージェント(ＦＡ)として登録することを要求するメッセージを送信するステップと、事前登録したＡＳＮ_ＧＷからターゲットＡＳＮ_ＧＷをＳＲ ＭＳの新規ＦＡとして登録することを要求するメッセージを受信すると、ＨＡとデータ経路を設定し、以後にターゲットＡＳＮ_ＧＷをＳＲ ＭＳの新規ＦＡとして登録するステップとを有する。
【００１２】
本発明の他の態様によれば、異種環境間の無線通信システムにおいて、事前登録したＡＳＮ_ＧＷがＳＲ ＭＳのアイドルモードハンドオーバーをサポートする方法が提供される。その方法は、ＳＲ ＭＳの動作モードをアイドルモードからアクティブモードに変更することを検出すると、ＳＲ ＭＳがハンドオーバーされるターゲットＡＳＮ_ＧＷに、ＳＲ ＭＳの動作モードをアイドルモードからアクティブモードに変更することを受諾し、ＳＲ ＭＳのＨＡアドレスを含むメッセージを、送信するステップと、ターゲットＡＳＮ_ＧＷからターゲットＡＳＮ_ＧＷをＳＲ ＭＳの新規ＦＡとして登録することを要求するメッセージを受信すると、ターゲットＡＳＮ_ＧＷをＳＲ ＭＳの新規ＦＡとしてターゲットＡＳＮ_ＧＷに登録することを要求するメッセージを送信するステップと、ターゲットＡＳＮ_ＧＷからターゲットＡＳＮ_ＧＷをＳＲ ＭＳの新規ＦＡとして登録することを示すメッセージを受信するステップとを有する。
【００１３】
本発明のもう一つの態様によれば、異種環境間の無線通信システムにおける基地局によってＳＲ ＭＳのアイドルモードハンドオーバーをサポートする方法が提供される。その方法は、ＳＲ ＭＳの動作モードがアイドルモードからアクティブモードに変更されることを検出すると、ＳＲ ＭＳの動作モードがアイドルモードからアクティブモードに変更されるようにターゲットアクセスサービスネットワークゲートウェイ(ＡＳＮ_ＧＷ)を要求するステップと、ターゲットＡＳＮ_ＧＷからＳＲ ＭＳのＨＡのアドレスを獲得するステップと、事前登録したＡＳＮ_ＧＷと経路を設定するステップと、事前登録したＡＳＮ_ＧＷと経路を設定した後、ＳＲ ＭＳがアイドルモードからアクティブモードに遷移することを受諾し、その後にターゲットＡＳＮ_ＧＷとＣＭＡＣ(Cipher-based Message Authentication Code)_ＫＥＹ_ＣＯＵＮＴをアップデートするプロセスを遂行するステップとを有する。
【００１４】
また、本発明の他の態様によれば、異種環境間の無線通信システムにおけるターゲットＡＳＮ_ＧＷによって、ＳＲ ＭＳのアイドルモードハンドオーバーをサポートする方法が提供される。その方法は、基地局(ＢＳ)からＳＲ ＭＳの動作モードをアイドルモードからアクティブモードに変更することを示すアイドルモード終了状態変更要求(ＩＭ_Ｅｘｉｔ_Ｓｔａｔｅ_Ｃｈａｎｇｅ_Ｒｅｑ)メッセージを受信すると、事前登録動作を遂行するＳＲ ＭＳを事前登録したＡＳＮ_ＧＷに、受信したＩＭ_Ｅｘｉｔ_Ｓｔａｔｅ_Ｃｈａｎｇｅ_Ｒｅｑメッセージを送信するステップと、事前登録したＡＳＮ_ＧＷからＳＲ ＭＳのＨＡのアドレスを含むアイドルモード終了状態変更応答(ＩＭ_Ｅｘｉｔ_Ｓｔａｔｅ_Ｃｈａｎｇｅ_Ｒｓｐ)メッセージを受信するステップと、基地局に受信したＩＭ_Ｅｘｉｔ_Ｓｔａｔｅ_Ｃｈａｎｇｅ_Ｒｓｐメッセージを送信し、基地局から事前登録したＡＳＮ_ＧＷと経路を設定することを示す経路登録要求(Ｐａｔｈ_Ｒｅｇ_Ｒｅｑ)メッセージを受信するステップと、事前登録したＡＳＮ_ＧＷにＨＡのアドレスを含み、ターゲットＡＳＮ_ＧＷをＳＲ ＭＳの新規ＦＡとして登録することを要求するアンカーデータ経路関数再配置要求(Ａｎｃｈｏｒ_ＤＰＦ_Ｒｅｌｏｃａｔｅ_Ｒｅｑ)メッセージを送信するステップと、事前登録したＡＳＮ_ＧＷからターゲットＡＳＮ_ＧＷをＳＲ ＭＳの新規ＦＡに登録することを要求するＦＡ登録要求(ＦＡ_Ｒｅｇｉｓｔｅｒ_Ｒｅｑ)メッセージを受信するステップと、ターゲットＡＳＮ_ＧＷをＳＲ ＭＳの新規ＦＡとして登録した後、データ経路を設定するためにＨＡに登録要求(ＲＲＱ)メッセージを送信するステップと、ＨＡからＲＲＱメッセージに応答して登録応答(ＲＲＰ)メッセージを受信すると、事前登録したＡＳＮ_ＧＷと経路を設定した後、事前登録したＡＳＮ_ＧＷにターゲットＡＳＮ_ＧＷをＳＲ ＭＳの新規ＦＡとして登録するために事前登録したＡＳＮ_ＧＷにＦＡ登録応答(ＦＡ_Ｒｅｇｉｓｔｅｒ_Ｒｓｐ)メッセージを送信するステップと、基地局にＰａｔｈ_Ｒｅｇ_Ｒｅｑメッセージに対応して経路登録応答(Ｐａｔｈ_Ｒｅｇ_Ｒｓｐ)メッセージを送信するステップとを有する。
【００１５】
さらに、本発明の他の態様によれば、異種環境間の無線通信システムにおける事前登録したＡＳＮ_ＧＷによってＳＲ ＭＳのアイドルモードハンドオーバーをサポートする方法が提供される。その方法は、ターゲットＡＳＮ_ＧＷからＳＲ ＭＳの動作モードをアイドルモードからアクティブモードに変更することを示すＩＭ_Ｅｘｉｔ_Ｓｔａｔｅ_Ｃｈａｎｇｅ_Ｒｅｑメッセージを受信すると、ターゲットＡＳＮ_ＧＷからＳＲ ＭＳの動作モードがアイドルモードからアクティブモードに変更することを受諾し、ＳＲ ＭＳのＨＡアドレスを含むＩＭ_Ｅｘｉｔ_Ｓｔａｔｅ_Ｃｈａｎｇｅ_Ｒｓｐメッセージを送信するステップと、ターゲットＡＳＮ_ＧＷから、ＳＲ ＭＳのＨＡのアドレスを含み、ターゲットＡＳＮ_ＧＷをＳＲ ＭＳの新規ＦＡとして登録することを要求するＡｎｃｈｏｒ_ＤＰＦ_Ｒｅｌｏｃａｔｅ_Ｒｅｑメッセージを受信すると、ターゲットＡＳＮ_ＧＷにターゲットＡＳＮ_ＧＷをＳＲ ＭＳの新規ＦＡとして登録することを要求するＦＡ_Ｒｅｇｉｓｔｅｒ_Ｒｅｑメッセージを送信するステップと、ターゲットＡＳＮ_ＧＷから事前登録したＡＳＮ_ＧＷにターゲットＡＳＮ_ＧＷをＳＲ ＭＳの新規ＦＡとして登録させるためのＦＡ_Ｒｅｇｉｓｔｅｒ_Ｒｓｐメッセージを受信するステップとを有する。
【００１６】
また、本発明の他の態様によれば、異種環境間の無線通信システムにおける基地局がＳＲ ＭＳのアイドルモードハンドオーバーをサポートする方法が提供される。その方法は、ＳＲ ＭＳの動作モードをアイドルモードからアクティブモードに変更することを示すＩＭ_Ｅｘｉｔ_Ｓｔａｔｅ_Ｃｈａｎｇｅ_ＲｅｑメッセージをターゲットＡＳＮ_ＧＷに送信するステップと、ターゲットＡＳＮ_ＧＷからＳＲ ＭＳのＨＡアドレスを含むＩＭ_Ｅｘｉｔ_Ｓｔａｔｅ_Ｃｈａｎｇｅ_Ｒｓｐメッセージを受信するステップと、事前登録動作を遂行したＳＲ ＭＳを事前登録したＡＳＮ_ＧＷと経路が設定することを示すＰａｔｈ_Ｒｅｇ_ＲｅｑメッセージをターゲットＡＳＮ_ＧＷに送信するステップと、ターゲットＡＳＮ_ＧＷからＰａｔｈ_Ｒｅｇ_Ｒｅｑメッセージに対する応答メッセージであるＰａｔｈ_Ｒｅｇ＿Ｒｓｐメッセージを受信するステップとを有する。
【００１７】
さらに、本発明の他の態様によれば、異種環境間の無線通信システムにおけるターゲットＡＳＮ_ＧＷが提供される。このターゲットＡＳＮ_ＧＷは、ＳＲ ＭＳの動作モードをアイドルモードからアクティブモードに変更することを検出する場合、事前登録動作を遂行したＳＲ ＭＳを事前登録したＡＳＮ_ＧＷからＳＲ ＭＳのＨＡアドレスを獲得し、基地局が事前登録したＡＳＮ_ＧＷと経路を設定することを検出する場合、送信器が事前登録したＡＳＮ_ＧＷにＨＡアドレスを含んでターゲットＡＳＮ_ＧＷをＳＲ ＭＳの新規ＦＡとして登録することを要求するメッセージを送信するように制御し、受信器が事前登録したＡＳＮ_ＧＷからターゲットＡＳＮ_ＧＷをＳＲ ＭＳの新規ＦＡとして登録することを要求するメッセージを受信する場合には、ＨＡとデータ経路を設定した後に、ターゲットＡＳＮ_ＧＷをＳＲ ＭＳの新規ＦＡとして登録するように制御する制御器を含む。
【００１８】
本発明の他の態様によれば、異種環境間の無線通信システムにおける事前登録したＡＳＮ_ＧＷが提供される。事前登録したＡＳＮ_ＧＷは、ＳＲ ＭＳの動作モードをアイドルモードからアクティブモードに変更することを検出する場合に、ＳＲ ＭＳがアイドルモードハンドオーバーしようとするターゲットＡＳＮ_ＧＷに対して、ＳＲ ＭＳの動作モードをアイドルモードからアクティブモードに変更することを受諾しＳＲ ＭＳのＨＡアドレスを含むメッセージを、送信するように送信器を制御し、ターゲットＡＳＮ_ＧＷからターゲットＡＳＮ_ＧＷをＳＲ ＭＳの新規ＦＡとして登録することを要求するメッセージを受信器が受信する場合に、ターゲットＡＳＮ_ＧＷに対して、ターゲットＡＳＮ_ＧＷをＳＲ ＭＳの新規ＦＡとして登録することを要求するメッセージを、送信するように送信器を制御し、ターゲットＡＳＮ_ＧＷからターゲットＡＳＮ_ＧＷをＳＲ ＭＳの新規ＦＡとして登録したことを示すメッセージを受信器が受信することを検出する制御器を含む。
【００１９】
なお、本発明の他の態様によれば、異種環境間の無線通信システムにおける基地局が提供される。この基地局は、ＳＲ ＭＳがアイドルモードからアクティブモードに変更することを検出する場合、ターゲットＡＳＮ_ＧＷからＳＲ ＭＳがアイドルモードからアクティブモードに遷移することを要求し、ターゲットＡＳＮ_ＧＷからＳＲ ＭＳのＨＡアドレスを獲得し、事前登録したＡＳＮ_ＧＷと経路を設定し、ＳＲ ＭＳがアイドルモードからアクティブモードに遷移することを受諾した後に、ターゲットＡＳＮ_ＧＷとＣＭＡＣ_ＫＥＹ_ＣＯＵＮＴをアップデートする制御器を含む。
【００２０】
本発明のもう一つの態様によれば、異種環境間の無線通信システムにおけるターゲットＡＳＮ_ＧＷが提供される。このターゲットＡＳＮ_ＧＷは、送信器と受信器を含む。受信器は、基地局からＳＲ ＭＳの動作モードをアイドルモードからアクティブモードに変更することを示すＩＭ_Ｅｘｉｔ_Ｓｔａｔｅ_Ｃｈａｎｇｅ_Ｒｅｑメッセージを受信し、送信器は、事前登録動作を遂行するＳＲ ＭＳを事前登録したＡＳＮ_ＧＷからＩＭ_Ｅｘｉｔ_Ｓｔａｔｅ_Ｃｈａｎｇｅ_Ｒｅｑメッセージを送信する。受信器は、事前登録したＡＳＮ_ＧＷからＳＲ ＭＳのＨＡアドレスを含むＩＭ_Ｅｘｉｔ_Ｓｔａｔｅ_Ｃｈａｎｇｅ_Ｒｓｐメッセージを受信する。送信器は、基地局からＩＭ_Ｅｘｉｔ_Ｓｔａｔｅ_Ｃｈａｎｇｅ_Ｒｓｐメッセージを送信し、受信器は、基地局から事前登録したＡＳＮ_ＧＷと経路を設定すること示すＰａｔｈ_Ｒｅｇ_Ｒｅｑメッセージを受信する。送信器は、事前登録したＡＳＮ_ＧＷにＨＡアドレスを含み、ターゲットＡＳＮ_ＧＷをＳＲ ＭＳの新規ＦＡとして登録することを要求するＡｎｃｈｏｒ_ＤＰＦ_Ｒｅｌｏｃａｔｅ_Ｒｅｑメッセージを送信する。受信器は、事前登録したＡＳＮ_ＧＷから、ターゲットＡＳＮ_ＧＷをＳＲ ＭＳの新規ＦＡとして登録することを要求するＦＡ_Ｒｅｇｉｓｔｅｒ_Ｒｅｑメッセージを受信し、送信器は、ターゲットＡＳＮ_ＧＷがＳＲ ＭＳの新規ＦＡとして登録されている場合、ＨＡにデータ経路を設定するために登録要求メッセージを送信する。受信器は、ＨＡからＲＲＱメッセージに対応して登録応答(ＲＲＰ)メッセージを受信し、送信器は、事前登録したＡＳＮ_ＧＷと経路が設定されている場合、事前登録したＡＳＮ_ＧＷに事前登録したＡＳＮ_ＧＷとターゲットＡＳＮ_ＧＷをＳＲ ＭＳの新規ＦＡとして登録させるために事前登録したＡＳＮ_ＧＷにＦＡ_Ｒｅｇｉｓｔｅｒ_Ｒｓｐメッセージを送信する。送信器は、基地局にＰａｔｈ_Ｒｅｇ_Ｒｅｑメッセージに対応してＰａｔｈ_Ｒｅｇ_Ｒｓｐメッセージを送信する。
【００２１】
また、本発明の他の態様によれば、異種環境間の無線通信システムにおける事前登録したＡＳＮ_ＧＷが提供される。この事前登録したＡＳＮ_ＧＷは、送信器と受信器を含む。受信器が、ターゲット(ターゲット)ＡＳＮ_ＧＷから、ＳＲ ＭＳの動作モードをアイドルモードからアクティブモードに変更することを示すＩＭ_Ｅｘｉｔ_Ｓｔａｔｅ_Ｃｈａｎｇｅ_Ｒｅｑメッセージを受信する場合、送信器は、ターゲットＡＳＮ_ＧＷに、ＳＲ ＭＳの動作モードをアイドルモードからアクティブモードに遷移することを許諾しＳＲ ＭＳのＨＡアドレスを含むＩＭ_Ｅｘｉｔ_Ｓｔａｔｅ_Ｃｈａｎｇｅ_Ｒｓｐメッセージを、送信する。受信器が、ターゲットＡＳＮ_ＧＷから、ＨＡアドレスを含みターゲットＡＳＮ_ＧＷをＳＲ ＭＳの新規ＦＡとして登録することを要求するＡｎｃｈｏｒ_ＤＰＦ_Ｒｅｌｏｃａｔｅ_Ｒｅｑメッセージを受信する場合、送信器は、ターゲットＡＳＮ_ＧＷに、ターゲットＡＳＮ_ＧＷをＳＲ ＭＳの新規ＦＡとして登録することを要求するＦＡ_Ｒｅｇｉｓｔｅｒ_Ｒｅｑメッセージを、送信する。受信器は、ターゲットＡＳＮ_ＧＷから、事前登録したＡＳＮ_ＧＷにターゲットＡＳＮ_ＧＷをＳＲ ＭＳの新規ＦＡとして登録するためのＦＡ_Ｒｅｇｉｓｔｅｒ_Ｒｓｐメッセージを、受信する。
【００２２】
さらに、本発明の他の態様によれば、異種環境間の無線通信システムにおける基地局が提供される。基地局は、送信器と受信器を含む。送信器は、ＳＲ ＭＳの動作モードをアイドルモードから、アクティブモードに変更することを示すＩＭ_Ｅｘｉｔ_Ｓｔａｔｅ_Ｃｈａｎｇｅ_Ｒｅｑメッセージを、ターゲットＡＳＮ_ＧＷに送信する。受信器は、ターゲットＡＳＮ_ＧＷから、ＳＲ ＭＳのＨＡアドレスを含むＩＭ_Ｅｘｉｔ_Ｓｔａｔｅ_Ｃｈａｎｇｅ_Ｒｓｐメッセージを受信する。送信器は、事前登録動作を遂行したＳＲ ＭＳを事前登録したＡＳＮ_ＧＷと経路を設定することを示すＰａｔｈ_Ｒｅｇ_Ｒｅｑメッセージを、ターゲットＡＳＮ_ＧＷに送信する。受信器は、ターゲットＡＳＮ_ＧＷから、Ｐａｔｈ_Ｒｅｇ_Ｒｅｑメッセージに対応してＰａｔｈ_Ｒｅｇ_Ｒｓｐメッセージを受信する。
【発明の効果】
【００２３】
本発明は、異種環境間の無線通信システムにおけるシングルモードＭＳのアイドルモードハンドオーバーを可能にする。特に、本発明は、非ＷｉＭＡＸ無線通信システムにアクセスされるＳＲ ＭＳがＷｉＭＡＸ無線通信システムにアイドルモードハンドオーバーを遂行可能にすることで、サービス品質を向上させる効果を有する。
【００２４】
本発明の一実施形態の上記及び他の様相、特徴、及び利点は、以下のような添付図面とともに続く詳細な説明から、より明らかになる。
【図面の簡単な説明】
【００２５】
【図１】本発明の実施形態による異種環境間の無線通信システムを概略的に示す図である。
【図２】本発明の実施形態によるアイドルモードハンドオーバー方法を示す信号フローチャートである。
【図３Ａ】本発明の一実施形態により、図２のターゲットアクセスサービスネットワークゲートウェイ(ＡＳＮ_ＧＷ)２３０の動作手順を示すフローチャートである。
【図３Ｂ】本発明の一実施形態により、図２のターゲットアクセスサービスネットワークゲートウェイ(ＡＳＮ_ＧＷ)２３０の動作手順を示すフローチャートである。
【図４】本発明の一実施形態により、図２の事前登録したＡＳＮ_ＧＷ２４０の動作手順を示すフローチャートである。
【図５】本発明の一実施形態によるＷｉＭＡＸ無線通信システムのＡＳＮ_ＧＷの内部構成を示すブロック構成図である。
【発明を実施するための形態】
【００２６】
以下、本発明の望ましい実施形態を添付の図面を参照して詳細に説明する。
【００２７】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。なお、公知の機能または構成に関する具体的な説明は、明瞭性と簡潔性のために省略する。
【００２８】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２９】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面(a  component  surface)”との記載は一つ又は複数の表面を含む。
【００３０】
本発明の実施形態は、異種環境間の(heterogeneous)無線通信システムでアイドルモード(idle mode)ハンドオーバー装置及び方法を含む。特に、本発明の実施形態は、非ＷｉＭＡＸ(non-Worldwide  Interoperability for Microwave Access)無線通信システムからＷｉＭＡＸ無線通信システムにアイドルモードハンドオーバーを遂行する装置及び方法を含む。ここで、ＳＲ ＭＳは、２個のラジオインタフェースユニットを備えて相互に異なる２個の無線通信システムにアクセスでき、特定時点で２個のラジオインタフェースユニットのうち一つのラジオインタフェースユニットのみでデータを送信できるＭＳを示す。ＳＲ ＭＳは、特定時点で１個のラジオインタフェースユニットのみを通じてデータを送信できるが、常に２個のラジオインタフェースユニットが同時にデータを受信することがある。本発明の実施形態では、ＳＲ ＭＳがハンドオーバーしようとする無線通信システムが、例えば、ＷｉＭＡＸ無線通信システムである場合を仮定してアイドルモードハンドオーバー装置及び方法について説明する。しかしながら、本発明で提供するアイドルモードハンドオーバー装置及び方法は、ＳＲ ＭＳが、無線通信システムがＷｉＭＡＸ無線通信システムでない他の無線通信システムに、ハンドオーバーしようとする場合に使用できることは、当業者には明らかである。
【００３１】
図１は、本発明の実施形態による異種環境間の無線通信システムを概略的に示す。
【００３２】
図１を参照すると、異種環境間の無線通信システムは、ＷｉＭＡＸ無線通信システム１００と、インターネットプロトコルコアネットワーク(ＩＰコアＮ/Ｗ)１１０と、非ＷｉＭＡＸ無線通信システム１２０、及びＳＲ ＭＳ１３０を含む。これについて、記載の便宜上、ＳＲ ＭＳ１３０は、図１ではＭＳ１３０として簡単に示すことに留意しなければならない。
【００３３】
ＷｉＭＡＸ無線通信システム１００は、基地局(ＢＳ)１０１，１０２、アクセスサービスネットワークゲートウェイ(ＡＳＮ_ＧＷ)１０３、及びＷｉＭＡＸ信号フォワーディング関数(Signal  Forwarding  Function：ＳＦＦ)ユニット１０４を含む。ここで、ＡＳＮ_ＧＷは、ページング制御器(Paging Controller：ＰＣ)と、アンカーデータ経路関数(Anchor  Data  Path  Function：ＡＤＰＦ)ユニットと、プロキシＭＩＰ(Proxy  Mobile Internet Protocol：ＰＭＩＰ)クライアントと、認証器(authenticator)など(図示せず)を含むことができる制御局である。すなわち、ＡＳＮ_ＧＷ１０３、ＰＣ、ＡＤＰＦユニット、ＰＭＩＰクライアント、及び認証器は、各々別途のエンティティで実現し、あるいは１個の統合されたエンティティとして実現することができる。ＰＣは、アイドルモードＭＳを管理し、アイドルモードＭＳに対してデータが受信される場合に、ページング動作を遂行する。認証器は、ＭＳに対する認証動作を遂行し、セキュリティキーを生成する。本発明の実施形態では、説明の便宜上、ＡＳＮ-ＧＷ１０３、ＰＣ、ＡＤＰＦユニット、ＰＭＩＰクライアント、及び認証器が１個の統合されたエンティティとして実現されると仮定する。
【００３４】
非ＷｉＭＡＸ無線通信システム１２０にアクセスされている状態で、ＳＲ ＭＳ１３０がＷｉＭＡＸ無線システム１００から信号を検出する場合に、ＷｉＭＡＸ無線システム１００にハンドオーバーするためにＷｉＭＡＸ  ＳＦＦユニット１０４をスキャンする。ＳＲ ＭＳ１３０は、Ｒ９インタフェースを用いてＷｉＭＡＸ  ＳＦＦユニット１０４と通信する。ここで、ＷｉＭＡＸ  ＳＦＦユニット１０４は、非ＷｉＭＡＸ無線通信システム１２０にアクセスされているＳＲ ＭＳ１０３をＷｉＭＡＸ無線通信システム１００に接続されるように一種のＢＳ役割を遂行する。
【００３５】
ＳＲ ＭＳ１３０がＷｉＭＡＸ  ＳＦＦユニット１０４を検索する場合、ＷｉＭＡＸ  ＳＦＦユニット１０４を通じてＷｉＭＡＸ無線通信システム１００と事前登録動作を遂行する。この事前登録動作を遂行すると、ＳＲ ＭＳ１３０は、直ちにＷｉＭＡＸ無線通信システム１００にハンドオーバーし、あるいはアイドルモードに遷移し、以後にアクティブモードに遷移してＷｉＭＡＸ無線通信システム１００にハンドオーバーできる。ここで、前者(すなわち、ＳＲ ＭＳ１３０が事前登録動作を遂行した後直ちにハンドオーバーされる場合)がアクティブモードハンドオーバーに該当し、後者(すなわち、ＳＲ ＭＳ１３０が事前登録動作後にハンドオーバーされる場合)がアイドルモードハンドオーバーに該当する。
【００３６】
ＳＲ ＭＳ１３０がＷｉＭＡＸ無線通信システム１００にアイドルモードハンドオーバーする場合に、ＳＲ ＭＳ１３０がアイドルモードで事前登録したＡＳＮ_ＧＷから他のＡＳＮ_ＧＷ、すなわちターゲットＡＳＮ_ＧＷに接続されているＢＳに移動する場合に、ターゲットＡＳＮ_ＧＷは、ホームエージェント(Home  Agent：ＨＡ)に移動インターネットプロトコル(Mobile  Internet  Protocol：ＭＩＰ)登録要求(Registration  ReQuest：ＲＲＱ)メッセージを送信でき、ＳＲ ＭＳ１３０のフォーリンエージェント(Foreign  Agent：ＦＡ)を事前登録したＡＳＮ-ＧＷからターゲットＡＳＮ-ＧＷに変更するためにＰＭＩＰクライアントと認証動作を遂行しなければならない。ここで、事前登録したＡＳＮ_ＧＷは、ＳＲ ＭＳ１３０が事前登録動作を遂行したＡＳＮ_ＧＷを示す。
【００３７】
しかしながら、従来技術のＷｉＭＡＸ無線通信システムにおいて、ＳＲ ＭＳがアイドルモードで事前登録ＡＳＮ_ＧＷでなくターゲットＡＳＮ_ＧＷに接続されているＢＳに移動する場合、ターゲットＡＳＮ_ＧＷは、ＨＡのアドレスをわからないためＨＡにＭＩＰ ＲＲＱメッセージを送信することができず、ＰＭＩＰ認証動作に関連した手順も提示されていないため、ＳＲ ＭＳのＦＡを変更することもできない。その結果、従来技術のＷｉＭＡＸ無線通信システムでは、非ＷｉＭＡＸ無線通信システムにアクセスされるＳＲ ＭＳがＷｉＭＡＸ無線通信システムにアイドルモードハンドオーバーを遂行することは不可能であった。
【００３８】
したがって、本発明の実施形態では、非ＷｉＭＡＸ無線通信システムにアクセスされるＳＲ ＭＳがＷｉＭＡＸ無線通信システムにアイドルモードハンドオーバーすることを可能にするアイドルモードハンドオーバー方法を含み、このようなアイドルモードハンドオーバー方法について、以下に図２を参照して説明する。
【００３９】
図２は、本発明の一実施形態による異種環境間の無線通信システムにおけるアイドルモードハンドオーバー方法を示す信号フローチャートである。
【００４０】
図２の説明に先立って、制御局、すなわちターゲットＡＳＮ_ＧＷと事前登録したＡＳＮ_ＧＷの各々は、ＡＳＮ_ＧＷ、ＰＣ、ＡＤＰＦユニット、ＰＭＩＰクライアント、及び認証器を含む１個のエンティティとして実現されると仮定する。また、説明の便宜上、図２にＳＲ ＭＳ２１０がＭＳ２１０として示されていることに留意すべきである。
【００４１】
図２を参照すると、ＳＲ ＭＳ２１０は、アイドルモードからアクティブモードに遷移するために、ステップ２１１で、ＢＳ２２０にレンジング要求(ＲＮＧ_ＲＥＱ)メッセージを送信する。ここで、ＳＲ ＭＳ２１０は、非ＷｉＭＡＸ無線通信システムからＷｉＭＡＸ無線通信システムにハンドオーバーするＳＲ ＭＳである。ＲＮＧ_ＲＥＱメッセージは、レンジング目的指示(ranging  purpose  indication)と、ＰＣ識別子と、ＣＭＡＣ(Cipher-based Message Authentication Code)_ＫＥＹ_ＣＯＵＮと、ＨＭＡＣ(Hashed  Message  Authentication  Code)/ＣＭＡＣタプル(tuple)とを含む。
【００４２】
ＳＲ ＭＳ２１０からＲＮＧ_ＲＥＱメッセージを受信すると、ＢＳ２２０は、ステップ２１３で、ターゲットＡＳＮ_ＧＷ２３０にＳＲ ＭＳ２１０がアイドルモードからアクティブモードへの遷移を要求することを示すアイドルモード終了状態変更要求(ＩＭ_Ｅｘｉｔ_Ｓｔａｔｅ_Ｃｈａｎｇｅ_Ｒｅｑ)メッセージを送信する。ここで、ＩＭ_Ｅｘｉｔ_Ｓｔａｔｅ_Ｃｈａｎｇｅ_Ｒｅｑメッセージは、ＢＳ２２０に関連した情報であるＢＳ_ＩＮＦＯと、ＰＣ  ＩＤ(Identification)とを含む。ＢＳ２００からＩＭ_Ｅｘｉｔ_Ｓｔａｔｅ_Ｃｈａｎｇｅ_Ｒｅｑメッセージを受信すると、ターゲットＡＳＮ_ＧＷ２３０は、ステップ２１５で、事前登録したＡＳＮ-ＧＷ２４０にＩＭ_Ｅｘｉｔ_Ｓｔａｔｅ_Ｃｈａｎｇｅ_Ｒｅｑメッセージを送信する。
【００４３】
ターゲットＡＳＮ_ＧＷ２３０からＩＭ_Ｅｘｉｔ_Ｓｔａｔｅ_Ｃｈａｎｇｅ_Ｒｅｑメッセージを受信すると、事前登録したＡＳＮ_ＧＷ２４０は、ステップ２１７で、ＳＲ ＭＳ２１０のの動作モードをアイドルモードからアクティブモードへの変更を承諾し、ＩＭ_Ｅｘｉｔ_Ｓｔａｔｅ_Ｃｈａｎｇｅ_Ｒｅｑメッセージに対応してアイドルモード終了状態変更応答(ＩＭ_Ｅｘｉｔ_Ｓｔａｔｅ_Ｃｈａｎｇｅ_Ｒｓｐ)メッセージをターゲットＡＳＮ_ＧＷ２３０に送信する。ここで、ＩＭ_Ｅｘｉｔ_Ｓｔａｔｅ_Ｃｈａｎｇｅ_Ｒｓｐメッセージは、認証キー(ＡＫ)、アイドル保持(retain)情報、及びＭＳ情報を含む。アイドル保持情報は、ＳＲ ＭＳ２１０のアイドルモード動作に関する情報を表し、ＭＳ情報はアンカーＡＳＮ  ＩＤ、認証器ＩＤ、及びＡｎｃｈｏｒ_ＭＭ_Ｃｏｎｔｅｘｔを含む。Ａｎｃｈｏｒ_ＭＭ_Ｃｏｎｔｅｘｔは、ＨＡ２５０のアドレスのターゲットＡＳＮ_ＧＷ２３０に通知するために新たに提案されたパラメータとして、ＨＡ２５０のアドレス、すなわちＭＩＰ４情報[ＨＡ  ＩＰアドレス]を含む。例えば、Ａｎｃｈｏｒ_ＭＭ_Ｃｏｎｔｅｘｔは、ＩＭ_Ｅｘｉｔ_Ｓｔａｔｅ_Ｃｈａｎｇｅ_ＲｓｐメッセージにＴＬＶ(Type，Length，Value)形態で含まれ得る。また、アンカーＡＳＮ  ＩＤはＳＲ ＭＳ２１０のアンカーＡＳＮのＩＤを表し、認証器ＩＤは認証器のＩＤを表す。
【００４４】
ターゲットＡＳＮ_ＧＷ２３０が事前登録したＡＳＮ_ＧＷ２４０からＩＭ_Ｅｘｉｔ_Ｓｔａｔｅ_Ｃｈａｎｇｅ_Ｒｓｐメッセージを受信することによって、ＳＲ ＭＳ２１０のＨＡアドレスを獲得できる。また、ターゲットＡＳＮ_ＧＷは、ステップ２１９で、受信されたＩＭ_Ｅｘｉｔ_Ｓｔａｔｅ_Ｃｈａｎｇｅ_ＲｓｐメッセージをＢＳ２２０に送信する。
【００４５】
ターゲットＡＳＮ_ＧＷ２３０からＩＭ_Ｅｘｉｔ_Ｓｔａｔｅ_Ｃｈａｎｇｅ_Ｒｓｐメッセージを受信すると、ＢＳ２２０は、ステップ２２１で、ＡＤＰＦユニットとの経路を設定するためにターゲットＡＳＮ_ＧＷ２３０に経路登録要求(Ｐａｔｈ_Ｒｅｇ_Ｒｅｑ)メッセージを送信する。ＢＳ２２０からＰａｔｈ_Ｒｅｇ_Ｒｅｑメッセージを受信すると、ターゲットＡＳＮ_ＧＷ２３０は、ステップ２２３で、ターゲットＡＳＮ_ＧＷ２３０自体をＳＲ ＭＳ２１０の新規ＦＡとして設定するために、事前登録したＡＳＮ_ＧＷ２４０にＡＤＰＦ再配置要求(Ａｎｃｈｏｒ_ＤＰＦ_Ｒｅｌｏｃａｔｅ_Ｒｅｑ)メッセージを送信する。Ａｎｃｈｏｒ_ＤＰＦ_Ｒｅｌｏａｔｅ_ＲｅｑメッセージはＡｎｃｈｏｒ_ＭＭ_Ｃｏｎｔｅｘｔを含み、Ａｎｃｈｏｒ_ＭＭ_ＣｏｎｔｅｘｔはＭＳ移動モード(Mobility  Mode：ＭＭ)とＭＩＰ４情報を含む。ここで、Ａｎｃｈｏｒ_ＭＭ_Ｃｏｎｔｅｘｔに含まれるＭＳ移動モードとＭＩＰ４情報は、ＰＭＩＰクライアントで登録要求(Registration  Request：ＲＲＱ)メッセージの生成に使用される情報であり、ＭＳ移動モードは、モバイルインターネットプロトコル(モバイルＩＰ)のタイプを表し、ＭＩＰ４情報はソースＦＡのアドレスとターゲットＦＡのアドレスを含む。
【００４６】
ターゲットＡＳＮ_ＧＷ２３０からＡｎｃｈｏｒ_ＤＰＦ_Ｒｅｌｏｃａｔｅ_Ｒｅｑメッセージを受信すると、事前登録したＡＳＮ_ＧＷ２４０は、Ａｎｃｈｏｒ_ＤＰＦ_Ｒｅｌｏｃａｔｅ_Ｒｅｑメッセージに含まれているソースＦＡのアドレスが有効であるか否かを判定する。その結果、ソースＦＡのアドレスが有効であると判定される場合、事前登録したＡＳＮ_ＧＷ２４０は、ステップ２２５で、ターゲットＡＳＮ_ＧＷ２３０にターゲットＡＳＮ_ＧＷ２３０を新規ＦＡとして登録することを要求するＦＡ登録要求(ＦＡ_Ｒｅｇｉｓｔｅｒ_Ｒｅｑ)メッセージを送信する。ここで、ＦＡ_Ｒｅｇｉｓｔｅｒ_Ｒｅｑメッセージは、ＲＲＱメッセージとＭＩＰキーを含む。
【００４７】
事前登録したＡＳＮ_ＧＷ２４０からＦＡ_Ｒｅｇｉｓｔｅｒ_Ｒｅｑメッセージを受信すると、ターゲットＡＳＮ_ＧＷ２３０は、ステップ２２７で、それ自体をＳＲ ＭＳ２１０の新規ＦＡとして登録し、ＨＡ２５０とデータ経路を設定するためにＨＡ２５０にＲＲＱ/プロキシバインディングアップデート(Proxy  Binding  Update：ＰＢＵ)メッセージを送信する。ターゲットＡＳＮ_ＧＷ２３０からＲＲＱ/ＰＢＵメッセージを受信すると、ＨＡ２５０は、ステップ２２９で、ターゲットＡＳＮ_ＧＷ２３０とデータ経路を設定した後に、ターゲットＡＳＮ_ＧＷ２３０にＲＲＱ/ＰＢＵメッセージに対応して、登録応答(Registration  Response：ＲＲＰ)/プロキシバインディングＡＣＫ(Proxy  Binding  Acknowledgement：ＰＢＡ)メッセージを送信する。
【００４８】
ＨＡ２５０からＲＲＰ/ＰＢＡメッセージを受信すると、ターゲットＡＳＮ_ＧＷ２３０は、ステップ２３１で、ＡＤＰＦユニットと経路を設定し、その後にＰａｔｈ_Ｒｅｇ_Ｒｓｑメッセージに対応してＢＳ２２０に経路登録応答(Ｐａｔｈ_Ｒｅｇ_Ｒｓｐ)メッセージを送信する。ターゲットＡＳＮ_ＧＷ２３０からＰａｔｈ_Ｒｅｇ_Ｒｓｐメッセージを受信すると、ＢＳ２２０は、ステップ２３３で、ＳＲ ＭＳ２１０がアイドルモードからアクティブモードに遷移することを受諾した後、ＲＮＧ_ＲＥＱメッセージに対応してＳＲ ＭＳ２１０にレンジング応答ＲＮＧ_ＲＳＰメッセージを送信する。ここで、ＲＮＧ_ＲＳＰメッセージは、位置アップデート応答、ページング情報、ＰＣ  ＩＤ、及びＨＭＡＣ/ＣＭＡＣタプルを含む。この位置アップデート応答はＳＲ ＭＳ２１０の位置がアップデートされることを示すメッセージであり、ページング情報はＳＲ ＭＳ２１０のページングに関する情報を表す。
【００４９】
さらに、ＢＳ２２０にＰａｔｈ_Ｒｅg_Ｒｓｐメッセージを送信すると、ターゲットＡＳＮ_ＧＷ２３０は、ステップ２３５で、それ自体をＳＲ ＭＳ２１０の新規ＦＡとして登録させるために、ＦＡ_Ｒｅｇｉｓｔｅｒ_Ｒｅｑメッセージに対応してＦＡ登録応答(ＦＡ_Ｒｅｇｉｓｔｅｒ_Ｒｓｐ)メッセージを事前登録したＡＳＮ_ＧＷ２４０に伝送する。ここで、ＦＡ_Ｒｅｇｉｓｔｅｒ_Ｒｓｐメッセージは、ＲＲＰメッセージを含む。
【００５０】
さらに、ＳＲ ＭＳ２１０にＲＮＧ_ＲＳＰメッセージを送信すると、ＢＳ２２０は、ステップ２３７で、ＣＭＡＣ_Ｋｅｙ_Ｃｏｕｎｔをアップデートするために、ターゲットＡＳＮ_ＧＷ２３０にＣＭＡＣ_Ｋｅｙ_Ｃｏｕｎｔアップデート(ＣＭＡＣ_Ｋｅｙ_Ｃｏｕｎｔ_Ｕｐｄａｔｅ)メッセージを送信する。ＢＳ２２０からＣＭＡＣ_Ｋｅｙ_Ｃｏｕｎｔ_Ｕｐｄａｔｅメッセージを受信すると、ターゲットＡＳＮ_ＧＷ２３０は、ステップ２３９で、受信したＣＭＡＣ_Ｋｅｙ_Ｃｏｕｎｔ_Ｕｐｄａｔｅメッセージを事前登録したＡＳＮ_ＧＷ２４０に送信する。ターゲットＡＳＮ_ＧＷ２３０からＣＭＡＣ_Ｋｅｙ_Ｃｏｕｎｔ_Ｕｐｄａｔｅメッセージを受信すると、事前登録したＡＳＮ_ＧＷ２４０は、ステップ２４１で、ＣＭＡＣ_ＫＥＹ_ＣＯＵＮＴをアップデートし、その後にＣＭＡＣ_Ｋｅｙ_Ｃｏｕｎｔ_Ｕｐｄａｔｅメッセージに対応してＣＭＡＣ_Ｋｅｙ_Ｃｏｕｎｔ_ＡｃｋメッセージをターゲットＡＳＮ_ＧＷ２３０に送信する。
【００５１】
事前登録したＡＳＮ_ＧＷ２４０からＣＭＡＣ_Ｋｅｙ_Ｃｏｕｎｔ_Ａｃｋメッセージを受信すると、ターゲットＡＳＮ_ＧＷ２３０は、ステップ２４３で、受信したＣＭＡＣ_Ｋｅｙ_Ｃｏｕｎｔ_ＡｃｋメッセージをＢＳ２２０に送信する。ターゲットＡＳＮ_ＧＷ２３０からＣＭＡＣ_Ｋｅｙ_Ｃｏｕｎｔ_Ａｃｋメッセージを受信すると、ＢＳ２２０は、ステップ２４５で、ターゲットＡＳＮ_ＧＷ２３０にＰａｔｈ_Ｒｅｇ_Ｒｓｐメッセージに対応してＰａｔｈ_Ｒｅｇ_Ａｃｋメッセージを送信する。
【００５２】
次に、図３Ａ及び図３Ｂを参照して、図２のターゲットＡＳＮ_ＧＷ２３０の動作手順について説明する。
【００５３】
図３Ａ及び図３Ｂを参照すると、ステップ３１１で、ターゲットＡＳＮ_ＧＷ２３０がＢＳ２２０からＩＭ_Ｅｘｉｔ_Ｓｔａｔｅ_Ｃｈａｎｇｅ_Ｒｅｑメッセージを受信する場合、ステップ３１３に進行する。ステップ３１３で、ターゲットＡＳＮ_ＧＷ２３０は、事前登録したＡＳＮ_ＧＷ２４０にＢＳ２２０から受信したＩＭ_Ｅｘｉｔ_Ｓｔａｔｅ_Ｃｈａｎｇｅ_Ｒｅｑメッセージを送信し、ステップ３１５に進行する。ステップ３１５で、ターゲットＡＳＮ_ＧＷ２３０は、事前登録したＡＳＮ_ＧＷ２４０からＩＭ_Ｅｘｉｔ_Ｓｔａｔｅ_Ｃｈａｎｇｅ_Ｒｓｐメッセージを受信し、ステップ３１７に進行する。ステップ３１７で、ターゲットＡＳＮ_ＧＷ２３０は、事前登録したＡＳＮ_ＧＷ２４０から受信したＩＭ_Ｅｘｉｔ_Ｓｔａｔｅ_Ｃｈａｎｇｅ_ＲｓｐメッセージをＢＳ２２０に送信し、ステップ３１９に進行する。
【００５４】
ステップ３１９で、ターゲットＡＳＮ_ＧＷ２３０は、ＢＳ２２０からＰａｔｈ_Ｒｅｇ_Ｒｅｑメッセージを受信し、ステップ３２１に進行する。ステップ３２１で、ターゲットＡＳＮ_ＧＷ２３０は、事前登録したＡＳＮ_ＧＷ２４０にＡｎｃｈｏｒ_ＤＰＦ_Ｒｅｌｏｃａｔｅ_Ｒｅｑメッセージを送信し、ステップ３２３に進行する。ステップ３２３で、ターゲットＡＳＮ_ＧＷ２３０は、事前登録したＡＳＮ_ＧＷ２４０からＦＡ_Ｒｅｇｉｓｔｅｒ_Ｒｅｑメッセージを受信し、ステップ３２５に進行する。ステップ３２５で、ターゲットＡＳＮ_ＧＷ２３０は、ＨＡ２５０にＲＲＱ/ＰＢＵメッセージを送信し、ステップ３２７に進行する。ステップ３２７で、ターゲットＡＳＮ_ＧＷ２３０は、ＨＡ２５０からＲＲＰ/ＰＢＡメッセージを受信し、ステップ３２９に進行する。ステップ３２９で、ターゲットＡＳＮ_ＧＷ２３０は、ＢＳ２２０にＰａｔｈ_Ｒｅｇ_Ｒｓｐメッセージを送信し、ステップ３３１に進行する。
【００５５】
ステップ３３１で、ターゲットＡＳＮ_ＧＷ２３０は、事前登録したＡＳＮ_ＧＷ２４０にＦＡ_Ｒｅｇｉｓｔｅｒ_Ｒｓｐメッセージを送信し、ステップ３３３に進行する。ステップ３３３で、ターゲットＡＳＮ_ＧＷ２３０は、ＢＳ２２０からＣＭＡＣ_Ｋｅｙ_Ｃｏｕｎｔ_Ｕｐｄａｔｅメッセージを受信し、ステップ３３５に進行する。ステップ３３５で、ターゲットＡＳＮ_ＧＷ２３０は、事前登録したＡＳＮ_ＧＷ２４０に受信したＣＭＡＣ_Ｋｅｙ_Ｃｏｕｎｔ_Ｕｐｄａｔｅメッセージを送信し、ステップ３３７に進行する。ステップ３３７で、ターゲットＡＳＮ_ＧＷ２３０は、事前登録したＡＳＮ_ＧＷ２４０からＣＭＡＣ_Ｋｅｙ_Ｃｏｕｎｔ_Ａｃｋメッセージを受信し、ステップ３３９に進行する。ステップ３３９で、ターゲットＡＳＮ_ＧＷ２３０は、ＢＳ２２０に受信したＣＭＡＣ_Ｋｅｙ_Ｃｏｕｎｔ_Ａｃｋメッセージを送信し、ステップ３４１に進行する。ステップ３４１で、ターゲットＡＳＮ_ＧＷ２３０は、ＢＳ２２０からＰａｔｈ_Ｒｅｇ_Ａｃｋメッセージを受信する。
【００５６】
次に、図４を参照して図２の事前登録したＡＳＮ_ＧＷ２４０の動作手順について説明する。
【００５７】
図４を参照すると、ステップ４１１で、事前登録したＡＳＮ_ＧＷ２４０は、ターゲットＡＳＮ_ＧＷ２３０からＩＭ_Ｅｘｉｔ_Ｓｔａｔｅ_Ｃｈａｎｇｅ_Ｒｅｑメッセージを受信し、ステップ４１３に進行する。ステップ４１３で、事前登録したＡＳＮ_ＧＷ２４０は、ターゲットＡＳＮ_ＧＷ２３０にＩＭ_Ｅｘｉｔ_Ｓｔａｔｅ_Ｃｈａｎｇｅ_Ｒｓｐメッセージを送信し、ステップ４１５に進行する。ステップ４１５で、事前登録したＡＳＮ_ＧＷ２４０は、ターゲットＡＳＮ_ＧＷ２３０からＡｎｃｈｏｒ_ＤＰＦ_Ｒｅｌｏｃａｔｅ_Ｒｅｑメッセージを受信し、ステップ４１７に進行する。ステップ４１７で、事前登録したＡＳＮ_ＧＷ２４０は、ターゲットＡＳＮ_ＧＷ２３０にＦＡ_Ｒｅｇｉｓｔｅｒ_Ｒｅｑメッセージを送信し、ステップ４１９に進行する。ステップ４１９で、事前登録したＡＳＮ_ＧＷ２４０は、ターゲットＡＳＮ_ＧＷ２３０からＦＡ_Ｒｅｇｉｓｔｅｒ_Ｒｓｐメッセージを受信し、ステップ４２１に進行する。ステップ４２１で、事前登録したＡＳＮ_ＧＷ２４０は、ターゲットＡＳＮ_ＧＷ２３０からＣＭＡＣ_Ｋｅｙ_Ｃｏｕｎｔ_Ｕｐｄａｔｅメッセージを受信し、ステップ４２３に進行する。ステップ４２３で、事前登録したＡＳＮ_ＧＷ２４０は、ターゲットＡＳＮ_ＧＷ２３０にＣＭＡＣ_Ｋｅｙ_Ｃｏｕｎｔ_Ａｃｋメッセージを送信する。
【００５８】
次に、図５を参照して本発明の一実施形態によるＷｉＭＡＸ無線通信システムのＡＳＮ_ＧＷの内部構成を構造について説明する。
【００５９】
図５を参照すると、ＡＳＮ_ＧＷは、制御器５１１、受信器５１３、メモリ５１５、及び送信器５１７を含む。制御器５１１は、ＡＳＮ_ＧＷの全般的な動作を制御する。特に、ＡＳＮ_ＧＷがターゲットＡＳＮ_ＧＷである場合には、制御器５１１は、図２及び図３で説明するような動作を遂行するようにＡＳＮ_ＧＷを制御する。さらに、ＡＳＮ_ＧＷが事前登録したＡＳＮ_ＧＷである場合、図２及び図４で説明するような動作を遂行する。ターゲットＡＳＮ_ＧＷとしてのＡＳＮ_ＧＷ動作と事前登録したＡＳＮ_ＧＷとしてのＡＳＮ_ＧＷ動作は、具体的に上述したので、ここではその詳細な説明を省略する。
【００６０】
メモリ５１５は上記した動作を遂行するためにＡＳＮ_ＧＷに必要な多様なデータを格納し、受信器５１３はＢＳ及びＨＡのような外部エンティティからメッセージを受信し、送信器５１７はＢＳ及びＨＡのような外部エンティティにメッセージを送信する。
【００６１】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【００６２】
２１０  ＭＳ
２２０  ＢＳ
２３０  ターゲットＡＳＮ_ＧＷ
２４０  事前登録したＡＳＮ-ＧＷ
２５０  ＨＡ
【図１】
2013511939.tif 000003
【図２】
2013511939.tif 000004
【図３Ａ】
2013511939.tif 000005
【図３Ｂ】
2013511939.tif 000006
【図４】
2013511939.tif 000007
【図５】
2013511939.tif 000008
【国際調査報告】
2013511939.tif 000009
2013511939.tif 000010